(57)【要約】【課題】通常の点火機構を崩さずに、点火プラグの着火位置により近い位置におけるガス濃度を検出する、より簡単なセンサプラグを使った内燃機関のガス濃度計測装置と、それに用いるセンサプラグを提供する。【解決手段】軸方向に貫通する貫通孔を備えた中心電極２１と、貫通孔の燃焼室側の端部に嵌着された凸レンズ２３と、貫通孔にプラグ部から凸レンズの後ろまで挿入されて固定された１対の光ファイバ２２ａ，２２ｂと、中心電極の燃焼室側の延長位置に設けられた反射鏡２６とを備えた点火プラグでなるセンサプラグ１と、１対のうちの一方の光ファイバ２２ａに接続され赤外レーザ光を供給する赤外レーザと、１対のうちの他方の光ファイバ２２ｂに接続された赤外検出器とを具備するガス濃度計測装置。【選択図】図１
2011089803.tif 000002
【特許請求の範囲】
【請求項１】
軸方向に貫通する貫通孔を備えた中心電極と、該貫通孔の燃焼室側の端部に嵌着された凸レンズと、該貫通孔にプラグ部から凸レンズの後ろまで挿入されて固定された１対の光ファイバと、該中心電極の燃焼室側の延長位置に設けられた反射鏡とを備えた点火プラグでなるセンサプラグと、
前記１対のうちの一方の光ファイバに接続され赤外レーザ光を供給する赤外レーザと、
前記１対のうちの他方の光ファイバに接続された赤外光検出器とを具備し、
前記センサプラグをシリンダヘッドに取り付けたときに、前記赤外レーザから発生される所定の波長の赤外レーザ光を前記一方の光ファイバから前記凸レンズを介して放出し前記反射鏡で反射させて、さらに前記凸レンズを介して前記他方の光ファイバに入射させて前記赤外線検出器に供給して、前記赤外線検出器で検出された赤外線強度に基づいて前記燃焼室内のガス濃度を測定する、
内燃機関のガス濃度計測装置。
【請求項２】
前記中心電極はコバールで形成され、前記凸レンズはサファイア製の丸断面のドラムレンズであって、該凸レンズの外周と前記中心電極の内壁を銀ロウでロウ付けしたことを特徴とする、請求項１記載のガス濃度計測装置。
【請求項３】
前記反射鏡は、前記中心電極の燃焼室側の端部に設けられたことを特徴とする、請求項１または２記載のガス濃度計測装置。
【請求項４】
前記反射鏡は、前記点火プラグのネジ部に支持されたブリッジの内側に形成されたことを特徴とする、請求項１または２記載のガス濃度計測装置。
【請求項５】
前記所定の波長の赤外レーザ光はＣ−Ｈ結合の特性赤外光である、請求項１から４のいずれか一項に記載のガス濃度計測装置。
【請求項６】
前記燃焼室内のガス濃度は、内燃機関の排気行程における赤外光強度を基準濃度として判定することを特徴とする、請求項１から５のいずれか一項に記載のガス濃度計測装置。
【請求項７】
軸方向に貫通する貫通孔を備えた中心電極と、該貫通孔の燃焼室側の端部に嵌着された凸レンズと、該貫通孔にプラグ部から凸レンズの後ろまで挿入されて固定された１対の光ファイバと、該中心電極の燃焼室側の延長位置に設けられた反射鏡とを備えた点火プラグでなる、内燃機関のガス濃度計測装置用のセンサプラグ。
【発明の詳細な説明】
【技術分野】
【０００１】
本発明は、内燃機関の燃焼室内のガス濃度を計測する装置に関し、特に内燃機関の稼働状態における点火プラグ周辺のガス濃度変化を測定できるようなガス濃度計測装置およびこれに用いるセンサプラグに関する。
【背景技術】
【０００２】
内燃機関の燃焼室における燃料ガス濃度およびガス濃度変化を知ること、特に運転中の内燃機関におけるガス濃度変化を把握することは、内燃機関の設計が適正であったか、シミュレーションが正確に実態を示しているかなどを検証するため、さらには、内燃機関における燃焼制御を実行するために、強く要望されている。
たとえば、内燃機関内のガス濃度はサイクル毎に安定しているか、スロットルふかしのときの応答性は確かか、燃料の供給は十分か、暖気運転時のガス濃度変化は妥当か、など、内燃機関設計や調整において、ガス濃度の変化状態を解明する必要は大きい。
【０００３】
特許文献１には、点火プラグの中心電極を貫通し、中心電極と外部電極の間のスパークの発生するギャップ部に光導入口を有し、ギャップ部に発生するスパーク光を分光光度計に導く光ファイバを備えた、燃焼フィードバック制御用のガス組成分析装置が開示されている。
開示されたガス組成分析装置は、ギャップ部にスパークを発生させることによりガス組成を分析するので、通常の点火タイミング以外の膨張行程や排気行程においても、点火プラグに高電圧を印加してスパークを発生させれば、適宜ガス組成を知ることができる。
【０００４】
開示されたガス組成分析装置は受動測定であるため、検出光を伝送する光ファイバが１本あればよく、構成は簡素である。しかし、開示のガス組成分析装置は、燃焼するガスの特性赤外光を検出して組成を知るものであるので、スパークが存在しないタイミングでは検出ができない。
【０００５】
特許文献２には、燃料噴射制御装置に使用する、空燃比（Ａ／Ｆ）の測定装置であって、内燃機関の燃焼室におけるガス濃度の能動計測を行う装置が開示されている。点火前の点火プラグ近傍の局所空燃比を検出して、空燃比が最もリッチとなるタイミングで点火時期を迎えることができるようにするものである。開示装置は、スパークが発生するギャップ部に光源で発生した光を透過させて、空間に存在する燃料ガスによって減衰した光を光電変換素子で検出することで、点火プラグ近傍におけるガス濃度を知るものである。
【０００６】
開示されたガス濃度計測装置は、特許文献２の図３や図４に示されるように、ギャップ部に光を導き透過した光を光電変換素子に導く光学素子を点火プラグの中心電極と接地電極の間に添設し、光の通路を点火プラグの中に設けるので、点火プラグの径を拡大させる。したがって、この計測装置を導入するには、シリンダヘッドに特殊な点火プラグを取り付ける大きなネジ孔を形成する必要がある。
【０００７】
特許文献３には、本明細書の図７に示すような、点火プラグと合体したセンサが開示されている。センサ先端には、凹面反射鏡が設けられていて、光ファイバから円柱状のサファイア板を介して放出される赤外線レーザ光を凹面反射鏡で反射して、再びサファイア板を介して、もう一方の光ファイバに入射させて受光器に伝達するようにしている。
【０００８】
特許文献３に開示されたセンサでは、光ファイバの通る筒部が点火プラグの中心電極にほぼ沿うように設けられるが、点火プラグの径は添設されたセンサの分だけ大きくなる。このため、測定対象の内燃機関はシリンダヘッドの改造を行う必要がある。また、中心電極はプラグの中心軸に位置させることができず、多少偏芯した位置に設けられるので、シリンダヘッドの点火プラグ用雌ねじにねじ込むときの位相により異なる位置関係を持つようになる。したがって、通常の点火状態を厳密な意味で再現するものとはならない。
【先行技術文献】
【特許文献】
【０００９】
【特許文献１】特許第２７９６０２３号公報
【特許文献２】特許第２９２１３２５号公報
【特許文献３】特開２００５−２３３６９４公報
【発明の開示】
【発明が解決しようとする課題】
【００１０】
従来のガス濃度計測装置で用いる点火プラグは、プラグ部にセンサを追加して組み込むため、点火プラグのサイズが大きくなり、既存の内燃機関に対して直接に適用することができず、別途、測定用の燃焼室を準備する必要がある。また、特許文献３記載のガス濃度計測装置では、点火位置と測定位置がずれるため、着火点における燃料ガス濃度を正確に知ることができない。特に、測定位置のずれによる検出遅れはほぼ一定であるため、内燃機関の点火周波数が高くなると相対的に検出濃度の誤差が大きくなるので問題である。
【００１１】
そこで、本発明が解決しようとする課題は、通常の点火機構を崩さずに、点火プラグの着火位置により近い位置におけるガス濃度を検出する、より簡単なセンサプラグを使った内燃機関のガス濃度計測装置と、それに用いるセンサプラグを提供することである。
【課題を解決するための手段】
【００１２】
上記課題を解決するため、本発明の内燃機関のガス濃度計測装置は、軸方向に貫通する貫通孔を備えた中心電極と、貫通孔の燃焼室側の端部に嵌着された凸レンズと、貫通孔にプラグ部から凸レンズの後ろまで挿入されて固定された１対の光ファイバと、中心電極の燃焼室側の延長位置に設けられた反射鏡とを備えた点火プラグでなるセンサプラグと、１対のうちの一方の光ファイバに接続され赤外レーザ光を供給する赤外レーザと、１対のうちの他方の光ファイバに接続された赤外検出器とを具備するガス濃度計測装置である。
【００１３】
本発明のガス濃度計測装置は、センサプラグをシリンダヘッドに取り付けたときに、赤外レーザから発生される所定の波長の赤外レーザ光を一方の光ファイバから凸レンズを介して放出し反射鏡で反射させて、さらに凸レンズで集光し他方の光ファイバに入射させて赤外検出器に供給し、赤外検出器で検出された赤外光強度に基づいて燃焼室内のガス濃度を測定することを特徴とする。
【００１４】
また、本発明のセンサプラグは、本発明のガス濃度計測装置の構成部品であって、軸方向に貫通する貫通孔を備えた中心電極と、貫通孔の燃焼室側の端部に嵌着された凸レンズと、貫通孔にプラグ部から凸レンズの後ろまで挿入されて固定された１対の光ファイバと、中心電極の燃焼室側の延長位置に設けられた反射鏡とを備えた点火プラグであることを特徴とする。
【００１５】
本発明のガス濃度計測装置は、燃料ガスに含まれるＣ−Ｈ基が吸収し易い特性赤外光を使い、下式に表されたランベルト−ベール（Ｌａｍｂｅｒｔ−Ｂｅｅｒ）の法則に基づいて、凸レンズの外面と反射鏡の間のガス濃度を測定する。
ｌｏｇ（Ｉ０／Ｉ）＝εＬｃ
【００１６】
ここで、Ｉ０は入射光強度、Ｉは透過光強度、εは吸収係数（ｌ／ｃｍ・ｍｏｌ）、Ｌは光路長（ｃｍ）、ｃはガスのモル濃度（ｍｏｌ／ｌ）である。
なお、内燃機関の排気行程において燃料ガスがほとんどゼロになるため、赤外検出器の出力は最大になる。このときの出力値を上式の入射光強度Ｉ０として利用することができる。
【００１７】
Ｃ−Ｈ基には、１．６μｍ、２．３μｍ、３．4μｍ、７．６μｍなどに、顕著な吸収バンドがあるが、最も吸収率が高い３．４μｍの赤外レーザ光を使用することが好ましい。なお、波長３．４μｍ近傍の光を発生するヘリウムネオンレーザは、比較的入手しやすいという利点もある。
【００１８】
赤外レーザから放出された波長３．４μｍの赤外レーザ光は、光ファイバを伝って、センサプラグ内の光ファイバ端面からそれぞれの放散角をもって放射される。放射された赤外レーザ光は、凸レンズで収束して燃焼室内に放射され、反射鏡で反射されて再度凸レンズに入射して収束され、もう一方の光ファイバに入射し、赤外検出器に伝送される。赤外検出器の検出光に基づいて、ランベルト−ベールの法則に従って、入射光強度から燃料ガス濃度を算定する。
【００１９】
本発明のセンサプラグは、点火プラグの、たとえば２．０ｍｍの外径をもった中心電極にたとえば１．５ｍｍの内径をもった貫通孔を穿って、この貫通孔にセンサ部を仕込む。したがって、点火プラグとしてのサイズが変化しないから、常用のシリンダヘッドに取り付けて、通常の点火状態の再現ができる。すなわち、既存のエンジンについても、測定用点火プラグと差し替えるだけでガス濃度測定が可能である。
【００２０】
また、検出する燃料ガスは、貫通孔の中の凸レンズの表面から反射鏡の反射面の間に存在するガスであるので、ガス濃度計測装置は点火位置近傍におけるガス濃度を測定することができる。さらに、本発明のガス濃度計測装置は光学式測定原理を用いるので、リアルタイム測定が可能である。
さらに、自動二輪車用の内燃機関においては、４行程の排気行程におけるガス濃度がほとんどゼロになるので、内燃機関のガス濃度計測装置の基準値Ｉ０を排気行程における検出出力におけば、４行程を経る度に基準の検出出力を確認することができる。
【００２１】
なお、中心電極はコバールで形成され、凸レンズはサファイア製の円柱状のドラムレンズであって、凸レンズの外周と中心電極の内壁を銀ロウでロウ付けする。サファイアとコバールは熱膨張係数が近いので、ロウ付けにより密着度が維持でき、振動を防止する。また、凸レンズをロウ付けするため、気密性に優れ、ガスが貫通孔を通って漏れ出ることを防止し、光ファイバの熱被曝を防止する。さらに、センサ構造の簡素化を達成し、かつ、凸レンズと光ファイバ先端を接近させることができる。
【００２２】
また、反射鏡は、中心電極の端部に設けることができる。反射鏡を中心電極に固定することにより、センサプラグの組立前に位置調整をして、組立後の調整を簡素化することができる。さらに、中心電極の突出長を調整することにより、ガス濃度計測をする位置を調整することができる。
また、点火プラグの外側電極部から支持されたブリッジを設けて、ブリッジの内側、中心電極に対向する面に反射鏡を形成してもよい。
反射鏡は、燃焼室内の過酷な環境において必要とされる耐腐食性の観点から、ハステロイなどの耐食性合金で形成することが好ましい。
【発明の効果】
【００２３】
本発明の内燃機関のガス濃度計測装置およびセンサプラグによれば、既存の点火プラグをそのままセンサプラグに置き換えるだけで、内燃機関の燃焼室における点火点付近の燃料ガス濃度をリアルタイムで測定することができるようになるので、自動車などの内燃機関の設計資料として反映させたり、内燃機関の調整を正確に行ったり、内燃機関の自動燃焼制御に利用したりすることができる。
【図面の簡単な説明】
【００２４】
【図１】本発明の１実施形態に係るセンサプラグの一部断面側面図である。
【図２】本実施形態に係るセンサプラグの要部拡大一部断面側面図である。
【図３】本実施形態のガス濃度計測装置の構成を説明するブロック図である。
【図４】本実施形態におけるエンジンの４行程と赤外光強度の関係を説明する線図である。
【図５】本実施形態における別のセンサプラグを示す側面図である。
【図６】本発明の保護管付きセンサプラグの例を示す一部断面側面図である。
【図７】従来のセンサプラグの例を示す一部断面側面図である。
【発明を実施するための形態】
【００２５】
以下、図面を用い実施形態に基づいて本発明のガス濃度計測装置およびセンサプラグを詳細に説明する。
図１は本発明の１実施形態に係るセンサプラグについて中心電極部を断面で表した側面図、図２はセンサプラグの先端部を拡大して示した一部断面側面図である。
本実施形態のセンサプラグ１は、図１と図２に示す通り、既製のシリンダヘッドに使用される点火プラグと同じプラグ構造を利用したもので、中心軸位置に配置される中心電極２１に貫通孔を穿って、センサ部品を組み込んだところが相違する。
【００２６】
すなわち、センサプラグ１は、エンジンのシリンダヘッドにねじ込まれる雄ねじ１２と、雄ねじ１２と電気的に接続された接地電極あるいは外部電極１６と、中心軸位置に配置される中心電極２１と、接地電極１６と中心電極２１の間に配置される絶縁体１４と、中心電極２１と電気的に接続され、図示しないソケットを介して図外の点火回路から高電圧の供給を受けるコネクタプラグ１３とを具備し、接地電極１６と中心電極２１の間にスパーク１７を発生させる点火プラグ１１として機能する。
【００２７】
一方、中心電極２１には、貫通孔が設けられ、貫通孔の中に赤外レーザ光を伝搬する１対の光ファイバ２２ａ，２２ｂが収納されている。光ファイバ２２ａ，２２ｂの先端部は、ホルダ２２ｃで把持され貫通孔の内壁に固定されて、光ファイバ２２ａ，２２ｂの端面位置が変化しないようにされている。
光ファイバ２２ａ，２２ｂの端面と僅かな間隔をもって、凸レンズ２３が設けられている。凸レンズ２３は円断面を有するドラムレンズで、貫通孔の内壁にロウ付けされて、気密性を確保し、外気やガスが貫通孔を介して漏洩しないようになっている。
【００２８】
中心電極２１の燃焼室側の端面は、凸レンズ２３の後方、所定の距離だけ離れた位置にあり、端面には内側に向けて反射鏡２５が設置されていて、凸レンズ２３を透過して入射する入射光を凸レンズ２３の方に反射させるようになっている。反射鏡２５は、ハステロイなど耐食性のよい合金の平坦面を研磨して形成することが好ましい。
凸レンズ２３の表面と反射鏡２５の表面の間を赤外光が往復する間に燃料ガスが吸収して減衰した赤外光の強度に基づいてガス濃度を計測するので、この領域の中心電極２１の外壁には、燃焼室内の混合ガスが自由に流通できるような隙間または開口が設けられている。
【００２９】
中心電極２１に収容された光ファイバ２２ａには、燃料ガスの含まれるガス空間を透過させる赤外レーザ光が供給される。赤外レーザ光は、中心電極２１内の光ファイバ２２ａ端面から放出される。光ファイバ２２ａから放出される赤外レーザ光は、所定の照射角を有する拡散光となるので、凸レンズ２３を用いて集光することにより光強度を維持する必要がある。凸レンズ２３を通過した赤外レーザ光は、反射鏡２５の反射面に投射され反射して再び凸レンズ２３に逆方向から入射し、集光されて、赤外検出器に接続された光ファイバ２２ｂの端面に入射する。
光ファイバ２２ａ，２２ｂの端面と、凸レンズ２３と、反射鏡２５との光学的配置は、製造時に適正に調整することができる。
赤外レーザ光は、凸レンズ２３表面と反射鏡２５の反射面との間を往復する間にガス濃度に対応して吸収され減衰する。
【００３０】
たとえば、雄ねじ１２の外径が１０ｍｍのプラグでは、中心電極２１の外径が２ｍｍ程度になるが、本実施形態のセンサプラグ１では、中心電極２１の軸心に貫通孔を穿って、先端の所定位置にサファイア製のドラムレンズ２３を挿入して固定することができる。また、寸法が異なるプラグについても、適用に合わせて適宜寸法を選択することができる。
【００３１】
筒形の中心電極２１をコバールで形成し、サファイア製ドラムレンズ２３の外周と中心電極２１の内壁を銀ロウでロウ付けする。サファイアとコバールは熱膨張率が近いので、激しい温度変化があっても両者間の密着度は劣化しない。したがって、内燃機関の燃焼室内と中心電極２１の貫通孔を介した外部空間との間の気密がよく保持できる。このため、中心電極２１内の光ファイバ２２ａ，２２ｂは燃焼室からの熱に被曝されない。また、ドラムレンズ２３は中心電極２１の内壁によく固定されるので、振動が起こらない。
なお、コバールと石英では熱膨張係数に差があるので、中心電極２１をコバールで形成したときは、凸レンズ２３を石英で形成することは好ましくない。
【００３２】
図３は、本実施形態におけるガス濃度計測装置を使用するときの構成を説明する構成図である。
図１と図２で説明したセンサプラグ１は測定対象のエンジン６に装着される。
エンジン６は、シリンダ６ａと、シリンダ６ａ内を往復運動するピストン６ｂと、ピストン６ｂの運動により容積を変化させる燃焼室６ｃと、燃焼室６ｃに燃料を含む空気を供給する吸気弁６ｄと、燃焼室６ｃから燃焼後のガスを排気する排気弁６ｅを備える。センサプラグ１のコネクタプラグには、点火回路７の高電圧出力を伝達するソケットが接続されている。
【００３３】
燃料と空気の混合ガスは、ピストン６ｂが下降する間に吸気弁６ｄを介して燃焼室６ｃに導入され、ピストン６ｂの上昇により室内で圧縮された混合ガスにセンサプラグ１で点火して爆発させ、ガスの膨張に伴いピストン６ｂが押し返され、さらに戻ってくるピストン６ｂにより燃焼室６ｃ内の燃焼ガスは排気弁６ｅを介して排気される。
エンジン６は、上記の通り、吸気行程、圧縮行程、膨張行程、排気行程を繰り返して、ピストン６ｂに往復運動をさせる。ピストン６ｂの往復運動は、図外のクランクにより回転運動に変換され、車輪を回転させる。
【００３４】
センサプラグ１の一方の光ファイバ２２ａは、赤外レーザ２から赤外レーザ光を導く光ファイバケーブル５ａと光学的に接続される。また、他方の光ファイバ２２ｂは、赤外検出器３に収集した赤外レーザ光を導く光ファイバケーブル５ｂに光学的に接続される。
光検出器３の検出出力は分析装置４に送信され、分析装置４は、ランベルト−ベールの法則に従ってガス濃度を算定して、その結果を表示する。
【００３５】
ここで使用される赤外レーザ光は、ガス濃度の変化により吸収量が大きく変化するものが好ましい。化石燃料はＣ−Ｈ基を含み、エンジンの混合ガスのＣ−Ｈ基を含む成分は燃料ガスとすることができるため、混合ガスにおける燃料ガスの濃度は、Ｃ−Ｈ基吸収帯に当たる赤外光を利用して計測することができる。
【００３６】
Ｃ−Ｈ基には、１．６μｍ、２．３μｍ、３．４μｍ、７．６μｍなどに、顕著な吸収バンドがある。また、３．４μｍの赤外レーザ光が、最も吸収率が高い。そこで、本実施形態では、３．４μｍの赤外レーザ光を使用することとした。なお、波長３．４μｍ近傍の光を発生するヘリウムネオンレーザは、比較的入手しやすく、利用しやすい。
【００３７】
このように、本実施形態のガス濃度計測装置は、Ｃ−Ｈ基が吸収し易い波長３．４μｍの赤外レーザ光を使い、ランベルト−ベールの法則（ｌｏｇ（Ｉ０／Ｉ）＝εＬｃ）に基づいて、点火プラグ近傍のガス濃度をリアルタイムで測定する。
なお、ガス濃度計測装置には、入射光の強度を測るセンサがないが、燃焼室内の燃料ガス濃度の変化と対比することにより、透過光用の赤外検出器の出力から入射光強度を推定することができる。
【００３８】
図４は、４サイクルエンジンにおける吸気・圧縮・膨張・排気の４つの行程とバルブ開度および赤外光強度との関係を示すグラフである。
吸気行程では、ピストンが下降する間に吸気弁が開いて、新しい混合ガスが燃焼室に導入される。ついで、圧縮行程において、ピストンが上昇して燃焼室内の混合ガスが圧縮され、燃焼ガスの濃度が上昇する。この間、本実施形態のガス濃度計測装置では、照射する赤外レーザ光を濃いガスがよく吸収するため、赤外光強度が低下する。ピストンが上死点に達する寸前に点火プラグにより混合ガスに点火すると、燃料が爆発的に燃焼し膨張行程に進む。燃料は直ぐに燃焼しきってしまうため、波長３．４μｍの赤外レーザ光が透過しやすくなって、赤外検出器で検出する赤外光強度は増加する。ピストンが下死点を過ぎる前から排気弁が少しずつ開いて、排気行程に進み、ピストンが上昇するにつれて燃焼ガスが排出される。
【００３９】
排気行程の最終段階では吸気弁が開いて新しい混合ガスが流入し始めるので、その前に、燃料ガスが含まれないガスにおける赤外光強度を測定する。このときの赤外検出器における出力は、ランベルト−ベールの法則におけるガスのモル濃度ｃがゼロのときに当たるので、燃料ガスによる吸収がなく入射光の光強度に減衰がないと考えて、この値を入射光強度Ｉ０と見なして演算に使用することができる。
この方法によれば、入射光強度は、エンジンが排気行程を通る度に較正をすることができるので、本実施形態のガス濃度計測装置は経時変化に対して耐性のある測定ができる。なお、排気行程における入射光の光強度が何らかの原因で減衰する場合にも、減衰分を定常的な外乱と捉えることにより、ガス濃度演算における基準値Ｉ０とすることができる。
【００４０】
本実施形態におけるガス濃度計測装置は、既製のエンジンについても点火プラグをセンサプラグと入れ替えるだけで、点火プラグ近傍におけるガス濃度変化を測定することができる。したがって、測定により実際のエンジン行程を乱すことがなく、通常の作動状態におけるガス濃度変化を知ることができ、エンジンの設計や調整が適正であったか、シミュレーションが正確に実態を示しているかなどを検証するために利用することができる。
【００４１】
図５は、本実施形態における第２の実施例のセンサプラグを示す斜視図である。
本実施例のセンサプラグは、図１などに示した先の実施例と比較して、反射鏡の位置が相違するだけで、その他の構成は同じである。したがって、以下の説明は、先の実施例と異なる部分について詳細に行い、図１や図２に示した要素と同様の機能を有する要素については説明を省略し、あるいは、同じ参照番号を付して説明を簡単化する。
【００４２】
本実施例のセンサプラグは、反射鏡２９を中心電極先端部２７に形成する代わりに、接地電極１６に接続される雄ねじ１２に固定されたブリッジ２８に形成したものである。ブリッジ２８は、中央にハステロイなど耐食性のよい合金で形成される平坦部を備え平坦部の両側に支持脚を備えたＵ字形の支持部材で、支持脚の端は雄ねじ１２の端面に固定されている。
平坦部の内側は、研磨されて反射鏡２９を形成している。
また、中心電極先端部２７の頂点位置は、赤外レーザ光が通過する開口になっている。なお、図５には、保護管３１の一部が表れている。
【００４３】
本実施例のセンサプラグは、図１などの実施例におけるセンサプラグと同様に、燃焼室内の点火条件を乱さず、点火点近傍のガス濃度変化を的確にリアルタイムに測定するツールとなる。また、測定領域が点火プラグの点火位置を挟んで広がるため、より的確な点火位置近傍のガス濃度変化を把握することができる。
ただし、先の実施例では、反射鏡が中心電極と一体に形成されるため、反射鏡と凸レンズの間の距離などのセンサとしてのディメンジョンを予め調整することができるが、本実施例のセンサプラグでは、中心電極部をプラグに組み込んだ後で位置調整を行う必要がある。
【００４４】
図６は、本実施形態における第２の実施例に係るセンサプラグを示す一部断面側面図である。
本実施例のセンサプラグは、図１や図５などに示した先の実施例に対して、ケーブルの保護管を備えたところが相違するだけで、その他の構成は同じである。したがって、以下の説明は、先の実施例と異なる部分について詳細に行い、先の実施例において説明した要素と同様の機能を有する要素については説明を省略し、あるいは、同じ参照番号を付して説明を簡単化する。
【００４５】
センサプラグ１には、小径筒３１と大径筒３２が入れ子状態に組み合わされる筒形の保護管が設けられる。小径筒３１の先端はセンサプラグ１の胴にビス止めされ、小径筒３１と大径筒３２は入れ子になって摺動し、ビスで所定の位置に止められる。  大径筒３２の底にはファイバコネクタ３４ａ，３４ｂが設けられ、赤外レーザの出力を導いてくる光ファイバ２２ａを入射用光ファイバケーブル３３ａと接続させ、反射鏡で反射して集まる赤外レーザの出力を導く光ファイバ２２ｂを赤外検出器と接続する光ファイバケーブル３３ｂと接続させる。
また、点火のために中心電極に高電圧を供給する電線ケーブル３５はソケットを介してセンサプラグのコネクタプラグ１３に接続させる。
【００４６】
センサプラグ１に保護管３１，３２をセットするときは、大径筒３２の底に電線ケーブル３５と光ファイバケーブル３３ａ，３３ｂを固定しておいて、小径筒３１を大径筒３２のなかに押し込んで、電線ケーブル３５と光ファイバケーブル３３ａ，３３ｂを露出させる。そして、電線ケーブル３５の端点をコネクタプラグ１３に接続し、光ファイバケーブル３３ａ，３３ｂをそれぞれ中心電極の光ファイバと接続した後、小径筒３１を大径筒３２から引き出してセンサプラグ１の胴に填めてビスで固定する。さらに、保護管の全長を、電線ケーブル３５と光ファイバケーブル３３ａ，３３ｂが弛まないような長さに整えて、大径筒３２を小径筒３１にビス止めする。
【００４７】
ファイバコネクタ３４ａ，３４ｂは保護管の底に設けられ、ケーブルのためのコネクタプラグ１３は一旦露出されるセンサプラグ１の端部に設けられる。このように、光ファイバと電線ケーブルの取り付け位置が分離し、かつ固定されているので、組立が容易である。また、損傷を受けやすい光ファイバは万全の保護が受けられる。
さらに、保護管付きのセンサプラグ１は、保護管の尻側を掴んで容易にエンジンに取り付けることができる。また、保護管を加重したため、センサの振動を抑制し、光ファイバの揺れを防止することができる。
【産業上の利用可能性】
【００４８】
本発明のガス濃度計測装置およびセンサプラグは、常態のエンジンに取り付けて点火点近傍の燃料ガス濃度をリアルタイムで測定するので、エンジン設計の適否の判定やエンジン調整の当否の判定など、エンジン開発のツールとして利用することにより産業上大きな貢献をする。
【符号の説明】
【００４９】
１  センサプラグ
２  赤外レーザ
３  赤外検出器
４  分析装置
５ａ  光ファイバケーブル
５ｂ  光ファイバケーブル
６  エンジン
６ａ  シリンダ
６ｂ  ピストン
６ｃ  燃焼室
６ｄ  吸気弁
６ｅ  排気弁
７  点火回路
１１  点火プラグ
１２  雄ねじ
１３  コネクタプラグ
１４  絶縁体
１６  接地電極（外部電極）
１７  スパーク
２１  中心電極
２２ａ，２２ｂ  光ファイバ
２２ｃ  ホルダ
２３  凸レンズ（ドラムレンズ）
２５  反射鏡
２９  反射鏡
２７  中心電極先端部
２８  ブリッジ
３１  小径筒（保護管）
３２  大径筒（保護管）
３３ａ，３３ｂ  光ファイバケーブル
３４ａ，３４ｂ  ファイバコネクタ
３５  電線ケーブル
【図１】
2011089803.tif 000003
【図２】
2011089803.tif 000004
【図３】
2011089803.tif 000005
【図４】
2011089803.tif 000006
【図５】
2011089803.tif 000007
【図６】
2011089803.tif 000008
【図７】
2011089803.tif 000009